(57)【要約】【課題】踏段と欄干との間の隙間に異物が挟まれたことをより早く検出することができるエスカレーターの踏段欄干隙間挟まれ検出装置を得る。【解決手段】踏段１と欄干２との間の隙間Ｇから上方に向かう光を発する発光装置５と、上方から隙間Ｇおよび移動手摺３を撮影するカメラ６と、カメラ６が撮影した画像の中で、隙間遮光部分と物体載置部分とを抽出する画像解析装置７と、画像解析装置７が抽出した隙間遮光部分および物体載置部分に基づいて、隙間Ｇに異物が挟まれたか否かを判定する隙間異物挟まれ判定装置８２とを備えている。【選択図】図１
2019172425.tif 000002
【特許請求の範囲】
【請求項１】
踏段と欄干との間の隙間から上方に向かう光を発する発光装置と、
上方から前記隙間および移動手摺を撮影するカメラと、
前記カメラが撮影した画像の中で、前記隙間における遮光されている部分である隙間遮光部分と前記移動手摺における物体が載せられている部分である物体載置部分とを抽出する画像解析装置と、
前記画像解析装置によって抽出された前記隙間遮光部分および前記物体載置部分に基づいて、前記隙間に異物が挟まれたか否かを判定する隙間異物挟まれ判定装置と
を備えている乗客コンベヤの踏段欄干隙間挟まれ検出装置。
【請求項２】
前記隙間異物挟まれ判定装置は、前記カメラが撮影した画像の中で、前記隙間遮光部分に対して幅方向に隣り合う部分に前記物体載置部分がない場合に、前記隙間に異物が挟まれたと判定する請求項１に記載の乗客コンベヤの踏段欄干隙間挟まれ検出装置。
【請求項３】
前記隙間異物挟まれ判定装置は、前記カメラが撮影した画像の中で、前記隙間遮光部分に対して幅方向に隣り合う部分に前記物体載置部分がある場合に、前記隙間に異物が挟まれていないと判定する請求項１または請求項２に記載の乗客コンベヤの踏段欄干隙間挟まれ検出装置。
【請求項４】
前記画像解析装置が抽出した前記隙間遮光部分および前記物体載置部分の少なくとも一方に基づいて、利用者が前記移動手摺に乗り上げているか否かを判定する利用者乗り上げ判定装置をさらに備えた請求項１から請求項３までの何れか一項に記載の乗客コンベヤの踏段欄干隙間挟まれ検出装置。
【請求項５】
前記利用者乗り上げ判定装置は、前記踏段の移動方向についての前記隙間遮光部分の寸法または前記物体載置部分の寸法が、予め設定された値よりも大きい場合に、前記利用者が前記移動手摺に乗り上げていると判定する請求項４に記載の乗客コンベヤの踏段欄干隙間挟まれ検出装置。
【請求項６】
前記光は、可視光である請求項１から請求項５までの何れか一項に記載の乗客コンベヤの踏段欄干隙間挟まれ検出装置。
【請求項７】
前記光は、不可視光である請求項１から請求項５までの何れか一項に記載の乗客コンベヤの踏段欄干隙間挟まれ検出装置。
【発明の詳細な説明】
【技術分野】
【０００１】
この発明は、踏段と欄干と間の隙間に異物が挟まれることを検出する乗客コンベヤの踏段欄干隙間挟まれ検出装置に関する。
【背景技術】
【０００２】
従来、トラスに設けられ、踏段と欄干のスカートガードとの間に異物が挟まれることを検出するスカートガードスイッチを備えたエスカレーターの踏段欄干隙間挟まれ検出装置が知られている。スカートガードスイッチは、踏段とスカートガードスイッチとの間にスカートガードが挟まれるように配置される。踏段とスカートガードとの間の隙間に異物が挟まれると、スカートガードがスカートガードスイッチに向かって押されて、スカートガードスイッチがスカートガードの変位を検出する。これにより、踏段とスカートガードとの間の隙間に異物が挟まれることが検出される（例えば、特許文献１参照）。
【先行技術文献】
【特許文献】
【０００３】
【特許文献１】特開平１０−２７９２４６号公報
【発明の概要】
【発明が解決しようとする課題】
【０００４】
しかしながら、踏段と欄干との間の隙間に異物が挟まれた時からスカートガードスイッチが欄干の変位を検出する時までに時間のずれが発生する。これにより、踏段と欄干との間の隙間に異物が挟まれたことの検出に時間がかかってしまう。その結果、踏段と欄干との間の隙間に異物が挟まれた時から踏段が非常停止される時までに多くの時間がかかってしまうという問題点があった。
【０００５】
この発明は、上述のような課題を解決するためになされたものであり、その目的は、踏段と欄干との間の隙間に異物が挟まれたことをより早く検出することができる乗客コンベヤの踏段欄干隙間挟まれ検出装置を提供するものである。
【課題を解決するための手段】
【０００６】
この発明に係る乗客コンベヤの踏段欄干隙間挟まれ検出装置は、踏段と欄干との間の隙間から上方に向かう光を発する発光装置と、上方から隙間および移動手摺を撮影するカメラと、カメラが撮影した画像の中で、隙間における遮光されている部分である隙間遮光部分と移動手摺における物体が載せられている部分である物体載置部分とを抽出する画像解析装置と、画像解析装置によって抽出された隙間遮光部分および物体載置部分に基づいて、隙間に異物が挟まれたか否かを判定する隙間異物挟まれ判定装置とを備えている。
【発明の効果】
【０００７】
この発明に係る乗客コンベヤの踏段欄干隙間挟まれ検出装置によれば、カメラが撮影した画像の中で隙間遮光部分と物体載置部分とが抽出され、抽出された隙間遮光部分および物体載置部分に基づいて、隙間に異物が挟まれたか否かが判定される。これにより、踏段と欄干との間の隙間に異物が挟まれたことをより早く検出することができる。
【図面の簡単な説明】
【０００８】
【図１】この発明の実施の形態１に係る踏段欄干隙間挟まれ検出装置を備えたエスカレーターを示す構成図である。
【図２】図１の踏段、欄干、移動手摺およびカメラを示す正面図である。
【図３】図１の踏段、欄干および発光装置を示す正面図である。
【図４】図１の画像解析装置およびエスカレーター制御盤を示すブロック図である。
【図５】エスカレーターの利用者が移動手摺を掴んでいる状態を示す平面図である。
【図６】エスカレーターの利用者が踏段と欄干との間の隙間に挟まれた状態を示す平面図である。
【図７】エスカレーターの利用者が手摺に乗り上げている状態を示す平面図である。
【図８】図１のエスカレーターの動作を示すフローチャートである。
【発明を実施するための形態】
【０００９】
実施の形態１．
図１は、この発明の実施の形態１に係る踏段欄干隙間挟まれ検出装置を備えたエスカレーターを示す構成図である。エスカレーターは、一対の乗降口の間を循環移動する複数の踏段１と、踏段１の幅方向両外側に設けられた一対の欄干２と、一対の欄干２のそれぞれに設けられ、踏段１と同期して循環移動する一対の移動手摺３と、利用者に対する注意喚起について報知する報知装置４とを備えている。
【００１０】
また、エスカレーターは、踏段１と欄干２との間の隙間から上方に向かう光を発する発光装置５と、踏段１と欄干２との間の隙間および移動手摺３を上方から撮影するカメラ６と、カメラ６が撮影した画像の情報が入力される画像解析装置７と、踏段１および移動手摺３の移動を制御するエスカレーター制御盤８とを備えている。
【００１１】
報知装置４は、スピーカ４１と、ディスプレイ４２とを有している。スピーカ４１およびディスプレイ４２は、エスカレーターの利用者に対して注意喚起を報知することができる場所に取り付けられている。
【００１２】
図２は、図１の踏段１、欄干２、移動手摺３およびカメラ６を示す正面図である。カメラ６は、踏段１、欄干２および移動手摺３よりも上方に配置されている。カメラ６は、踏段１と欄干２との間の隙間Ｇおよび移動手摺３を上方から撮影することができるように配置されている。カメラ６は、踏段１と一対の欄干２の中の一方の欄干２との間の隙間Ｇと、踏段１と一対の欄干２の中の他方の欄干２との間の隙間Ｇとを同時に撮影する。
【００１３】
図３は、図１の踏段１、欄干２および発光装置５を示す正面図である。発光装置５は、踏段１よりも下方に配置されている。発光装置５は、欄干２のスカートガードに取り付けられている。発光装置５は、発光装置５が発する光が上方を向くように配置されている。発光装置５から発せられた光は、踏段１と欄干２のスカートガードとの間の隙間Ｇを通過し、踏段１と欄干２との間の隙間Ｇから上方に向かう。この例では、発光装置５が発する光は、可視光となっている。また、発光装置５が発する光は、赤色となっている。なお、発光装置５が発する光は、赤色に限らず、その他の色であってもよい。
【００１４】
発光装置５は、踏段１の移動経路に沿うように連続的に延びて配置されている。言い換えれば、発光装置５は、踏段１の移動方向に連続的に延びるように配置されている。発光装置５は、上階側階床と下階側階床とに渡って設けられている。発光装置５は、この例では、蛍光灯から構成されている。なお、発光装置５は、蛍光灯に限らず、例えば、ＬＥＤ、レーザ光発生装置などから構成されてもよい。発光装置５がレーザ光発生装置から構成されている場合には、発光装置５は、レーザ光発生装置から発せられるレーザ光の軌跡が上下方向に延びるようにレーザ光発生装置が配置される構成、または、レーザ光発生装置から発せられるレーザ光の軌跡が踏段１の移動方向に延びるようにレーザ光発生装置が配置される構成であってもよい。レーザ光の軌跡が踏段１の移動方向に延びるようにレーザ光発生装置が配置される場合には、レーザ光の軌跡上にレーザ光が反射する粒子などが配置される。これにより、発光装置５が発する光が上方を向く。
【００１５】
図４は、図１の画像解析装置７およびエスカレーター制御盤８を示すブロック図である。画像解析装置７は、画像解析装置７に入力されたカメラ６の画像の情報を用いて、カメラ６が撮影した画像の中で、隙間Ｇにおける遮光されている部分である隙間遮光部分と、移動手摺３における物体が載せられている部分である物体載置部分とを抽出する。
【００１６】
画像解析装置７によって抽出された隙間遮光部分の情報および物体載置部分の情報は、エスカレーター制御盤８に入力される。エスカレーター制御盤８は、踏段１および移動手摺３のそれぞれの移動を制御する制御盤本体８１と、画像解析装置７によって抽出された隙間遮光部分および物体載置部分に基づいて、隙間Ｇに異物が挟まれたか否かを判定する隙間異物挟まれ判定装置８２とを有している。また、エスカレーター制御盤８は、画像解析装置７によって抽出された隙間遮光部分に基づいて、利用者が移動手摺３に乗り上げているか否かを判定する利用者乗り上げ判定装置８３と、報知装置４による報知を制御する報知制御部８４とを有している。
【００１７】
図５は、エスカレーターの利用者が移動手摺を掴んでいる状態を示す平面図である。利用者９が移動手摺３を掴んでいる場合に、カメラ６が撮影した画像の中で、隙間遮光部分に対して踏段１の幅方向に隣り合う部分に物体載置部分がある。隙間異物挟まれ判定装置８２は、隙間遮光部分に対して幅方向に隣り合う部分に物体載置部分があるか否かを判定する。隙間遮光部分に対して幅方向に隣り合う部分に物体載置部分があると判定された場合に、隙間異物挟まれ判定装置８２は、利用者９が移動手摺３を掴んでいると判定し、また、隙間Ｇに異物が挟まれていないと判定する。
【００１８】
図６は、エスカレーターの利用者が踏段と欄干との間の隙間に挟まれた状態を示す平面図である。利用者９が踏段１と欄干２との間の隙間Ｇに挟まれている場合に、カメラ６が撮影した画像の中で、隙間遮光部分に対して踏段１の幅方向に隣り合う部分に物体載置部分がない。隙間遮光部分に対して幅方向に隣り合う部分に物体載置部分がないと判定される場合に、隙間異物挟まれ判定装置８２は、隙間Ｇに異物が挟まれたと判定する。
【００１９】
図７は、エスカレーターの利用者が手摺に乗り上げている状態を示す平面図である。利用者９が移動手摺３に乗り上げている場合に、カメラ６が撮影した画像の中で、踏段１の移動方向についての隙間遮光部分の寸法が予め設定された値である基準値よりも大きい。利用者乗り上げ判定装置８３は、移動方向についての隙間遮光部分の寸法が基準値よりも大きいか否かを判定する。移動方向についての隙間遮光部分の寸法が基準値よりも大きいと判定された場合に、利用者乗り上げ判定装置８３は、利用者９が移動手摺３に乗り上げたと判定する。基準値としては、３０ｃｍとなっている。なお、基準値は、これに限らず、その他の値であってもよい。
【００２０】
利用者９が踏段１と欄干２との間の隙間Ｇに挟まれたと判定された場合に、制御盤本体８１は、踏段１および移動手摺３のそれぞれの移動を停止させる。なお、踏段１および移動手摺３のそれぞれの移動の停止ではなく、踏段１および移動手摺３のそれぞれの移動の減速であってもよい。また、この場合に、報知制御部８４は、利用者に対する注意喚起について報知装置４に報知させる。
【００２１】
利用者９が移動手摺３に乗り上げたと判定された場合に、制御盤本体８１は、踏段１および移動手摺３のそれぞれの移動を停止させる。なお、踏段１および移動手摺３の移動の停止ではなく、踏段１および移動手摺３のそれぞれの移動の減速であってもよい。また、この場合に、報知制御部８４は、利用者に対する注意喚起について報知装置４に報知させる。
【００２２】
踏段１と欄干２と間の隙間Ｇに異物が挟まれることを検出するエスカレーターの踏段欄干隙間挟まれ検出装置は、報知装置４、発光装置５、カメラ６、画像解析装置７、隙間異物挟まれ判定装置８２、利用者乗り上げ判定装置８３および報知制御部８４から構成されている。
【００２３】
図８は、図１のエスカレーターの動作を示すフローチャートである。まず、ステップＳ１０１において、利用者乗り上げ判定装置８３は、移動方向についての隙間遮光部分の寸法が基準値よりも大きいか否かを判定する。ステップＳ１０１において、移動方向についての隙間遮光部分の寸法が基準値よりも大きいと判定された場合に、利用者乗り上げ判定装置８３は、利用者９が移動手摺３に乗り上げたと判定する。この場合に、ステップＳ１０２において、制御盤本体８１は、踏段１および移動手摺３のそれぞれの移動を停止させる。また、この場合に、ステップＳ１０３において、報知制御部８４は、利用者９に対する注意喚起を報知装置４に報知させる。
【００２４】
一方、ステップＳ１０１において、移動方向についての隙間遮光部分の寸法が基準値よりも大きくないと判定された場合に、利用者乗り上げ判定装置８３は、利用者９が移動手摺３に乗り上げていないと判定する。この場合に、ステップＳ１０４において、隙間異物挟まれ判定装置８２は、隙間遮光部分に対して幅方向に隣り合う部分に物体載置部分があるか否かを判定する。ステップＳ１０４において、隙間遮光部分に対して幅方向に隣り合う部分に物体載置部分がないと判定された場合に、隙間異物挟まれ判定装置８２は、隙間Ｇに異物が挟まれたと判定し、ステップＳ１０２に進む。
【００２５】
一方、ステップＳ１０４において、隙間遮光部分に対して幅方向に隣り合う部分に物体載置部分があると判定された場合に、隙間異物挟まれ判定装置８２は、利用者９が移動手摺３を掴んでいると判定し、また、隙間Ｇに異物が挟まれていないと判定し、そのまま終了する。
【００２６】
以上説明したように、この発明の実施の形態１に係るエスカレーターの踏段欄干隙間挟まれ検出装置によれば、踏段１と欄干２との間の隙間Ｇから上方に向かう光を発する発光装置５と、上方から隙間Ｇおよび移動手摺３を撮影するカメラ６と、カメラ６が撮影した画像の中で、隙間遮光部分と物体載置部分とを抽出する画像解析装置７と、画像解析装置７によって抽出された隙間遮光部分および物体載置部分に基づいて、隙間Ｇに異物が挟まれたか否かを判定する隙間異物挟まれ判定装置８２とを備えている。これにより、カメラ６が撮影した画像の中で隙間遮光部分と物体載置部分とが抽出され、抽出された隙間遮光部分および物体載置部分に基づいて、隙間Ｇに異物が挟まれたか否かが判定される。これにより、踏段１と欄干２との間の隙間Ｇに異物が挟まれたことをより早く検出することができる。
【００２７】
また、隙間異物挟まれ判定装置８２は、カメラ６が撮影した画像の中で、隙間遮光部分に対して幅方向に隣り合う部分に物体載置部分がない場合に、隙間Ｇに異物が挟まれたと判定する。これにより、簡単な構成で、踏段１と欄干２との間の隙間Ｇに異物が挟まれたことを検出することができる。
【００２８】
また、隙間異物挟まれ判定装置８２は、カメラ６が撮影した画像の中で、隙間遮光部分に対して幅方向に隣り合う部分に物体載置部分がある場合に、利用者９が移動手摺３を掴んでいると判定する。これにより、簡単な構成で、利用者９が移動手摺３を掴んでいることを検出することができる。また、踏段１と欄干２との間の隙間Ｇに異物が挟まれたと御検出することを抑制することができる。
【００２９】
また、この踏段欄干隙間挟まれ検出装置は、画像解析装置７が抽出した隙間遮光部分に基づいて、利用者９が移動手摺３に乗り上げているか否かを判定する利用者乗り上げ判定装置８３を備えている。これにより、これにより、カメラ６が撮影した画像に基づいて、利用者９が移動手摺３に乗り上げているか否かが判定される。したがって、簡単な構成で、利用者９が移動手摺３に乗り上げていることを検出することができる。
【００３０】
また、利用者乗り上げ判定装置８３は、踏段１の移動方向についての隙間遮光部分の寸法が基準値よりも大きい場合に、利用者９が移動手摺３に乗り上げていると判定する。これにより、簡単な構成で、利用者９が移動手摺３に乗り上げていることを検出することができる。
【００３１】
また、発光装置５が発する光は、可視光である。これにより、利用者９に対して、隙間Ｇをより明確に報知することができる。
【００３２】
なお、上記実施の形態１では、乗客コンベヤとして、エスカレーターを例に説明した。しかしながら、これに限らず、例えば、動く歩道であってもよい。
【００３３】
また、上記実施の形態１では、利用者乗り上げ判定装置８３が、移動方向についての隙間遮光部分の寸法が基準値よりも大きいか否かを判定する構成について説明した。これに限らず、利用者乗り上げ判定装置８３は、移動方向についての物体載置部分の寸法が基準値よりも大きいと判定された場合に、利用者乗り上げ判定装置８３が、利用者９が移動手摺３に乗り上げたと判定する構成であってもよい。
【００３４】
また、上記実施の形態１では、光が可視光である構成について説明した。しかしながら、これに限らず、光は、不可視光であってもよい。この場合、エスカレーターの意匠性を向上させることができる。
【符号の説明】
【００３５】
１  踏段、２  欄干、３  移動手摺、４  報知装置、５  発光装置、６  カメラ、７  画像解析装置、８  エスカレーター制御盤、９  利用者、４１  スピーカ、４２  ディスプレイ、８１  制御盤本体、８２  隙間異物挟まれ判定装置、８３  利用者乗り上げ判定装置、８４  報知制御部。
【図１】
2019172425.tif 000003
【図２】
2019172425.tif 000004
【図３】
2019172425.tif 000005
【図４】
2019172425.tif 000006
【図５】
2019172425.tif 000007
【図６】
2019172425.tif 000008
【図７】
2019172425.tif 000009
【図８】
2019172425.tif 000010